(57)【特許請求の範囲】
【請求項１】
ベース板の中央に支柱を立設したベース部と、前記支柱に上下動自在に装着した上下機構部と、上下機構部を最下方に位置させた際に先端板部が器具先端の最下方に位置し、且つ上下機構部に対して水平横移動可能に付設したリフト部と、支柱貫通孔を有する傾斜板を傾斜付勢して、上下機構部に一方向制動機能を付与したストッパー部と、上下機構部に連結して上下機構部を上方へ移動動作させる動作部とで構成したことを特徴とする建築用板部材の持ち上げ具。
【請求項２】
ベース板先端部分とリフト部の先端板部とを、互いに他方の間隙空間に位置することが可能とした櫛板状に形成すると共に、リフト部に、前記位置への復帰付勢部を付設した請求項１記載の建築用板部材の持ち上げ具。
【請求項３】
動作部を、ベース部に立設した支持台にシーソー状に設けた足踏み板の一方の先端を上下機構部に連結してなる請求項１又は２記載の建築用板部材の持ち上げ具。
【請求項４】
ベース板基端側の両側を起立せしめて、爪先受け部を設けてなる請求項１乃至３項記載のいずれかの建築用部材の持ち上げ具。
【発明の詳細な説明】
【０００１】
【産業上の利用分野】
本発明は、壁板の釘着作業や、ドアの取付作業等に際して、壁板やドア等の板部材を持ち上げる作業に使用する器具である。
【０００２】
【従来の技術】
合板で形成された壁板を、壁面に釘などで打ち付ける際、壁板を所定の位置に抑えておかなければならない。而も通常は壁板自体は壁面の高さより僅かに丈が短いので、壁板の上端縁を、上方の妻梁や軒桁に密着させた状態を維持しての釘着作業が必要となる。このため、従来では梃子棒様の器具を使用し、足で当該器具を操作して壁板を持ち上げ、持ち上げ状態で釘着作業を行っていた。尚壁板下方の床面との間隙は、回り縁で覆うようにしている。
【０００３】
またドアの取付作業も同様で、ドア板を僅かに持ち上げた状態で、ヒンジ部の連結を行うもので、前記の梃子棒様の器具を使用したり、或はドア専用の持ち上げ器具を使用するものである。このドア専用の持ち上げ器具は、主脚から腕脚をＴ状に突出させ、主脚に立設した支柱に腕脚を上下動自在に連結してリフト機構を具備させ、腕脚に布設した載置台にドアを載置し、ハンドル操作で腕脚を持ち上げ、主脚及び腕脚に付設したキャスターでドアを所定の取付位置に移動させるものである。
【０００４】
【発明が解決しようとする課題】
前記のとおり壁板やドア等の建築用板材の釘着作業や組み込み作業では、当該板材を持ち上げた状態で種々の作業を行わなければならなく、そのための器具として前記のとおり梃子棒様器具及びキャスター付きの移動器具が知られている。しかし梃子棒様器具の場合には、足で器具を操作した状態を維持する必要があり、而も当該部材は持ち上げた後に所定位置まで僅かではあるが横移動が必要である。このため前記器具を使いこなすには充分な熟練を要することになる。
【０００５】
次にリフト機構付きの器具であるが、板部材の載置箇所は腕脚となり、離れた箇所の片持ち支持となるので、板部材を持ち上げると、板部材が左右に傾斜し易く、手作業による傾斜調整や、傾斜補正支持手作業が必要となる。また部材の移動もキャスター移動のため、微小な移動には不適当であるし、更に持ち上げ操作が床面に近い箇所でのハンドル操作となり、操作性に問題がある。そこで本発明は、使い易い新規な板部材の持ち上げ具を提案したものである。
【０００６】
【課題を解決するための手段】
本発明に係る建築用板部材の持ち上げ具は、ベース板の中央に支柱を立設したベース部と、前記支柱に上下動自在に装着した上下機構部と、上下機構部を最下方に位置させた際に先端板部が器具先端の最下方に位置し、且つ上下機構部に対して水平横移動可能に付設したリフト部と、支柱貫通孔を有する傾斜板を傾斜付勢して、上下機構部に一方向制動機能を付与したストッパー部と、上下機構部に連結して上下機構部を上方へ移動動作させる動作部とで構成したことを特徴とするものである。
【０００７】
従って装着位置に配置した持ち上げ対象の板部材の下方に、リフト部先端板部を差し込み、動作部を操作すると、上下機構部と一緒にリフト部及びストッパー部が上昇して板部材を持ち上げ、ストッパー部の制止作用で上昇状態が維持され、リフト部を横移動させて所定の取付作業を行うことができるものである。またストッパー部の傾斜板の傾斜を戻すことで、上下機構部とリフト部とストッパー部が一緒にその自重で下降して、持ち上げ前の状態に復帰するものである。
【０００８】
また本発明は前記持ち上げ具において、ベース板の先端部分とリフト部の先端板部とを互いに他方の間隙空間に位置することが可能とした櫛板状に形成すると共に、リフト部に、前記位置への復帰付勢部を付設したものであるから、持ち上げ対象物の下方にベース板の先端とリフト部の先端板部を一緒に差し込むことができ、差し込み部分のうちリフト部のみが上昇し、ベース板はそのままの状態であるから、持ち上げ時の器具が安定し、また横移動後の作業終了後は、復帰付勢部によって自然に噛み合い状態に戻る。
【０００９】
更に本発明は、動作部を、ベース部に立設した支持台にシーソー状に設けた足踏み板の一方の先端を上下機構部に連結してなるものであるから、足踏み板の操作で上下機構部等を上昇させ、ストッパー部の傾斜板の足による操作で、元の状態に復帰するものであるから、その操作性に優れたものになる。
【００１０】
【発明の実施の形態】
次に本発明の実施形態について説明する。実施形態に示した持ち上げ具は、ベース部１と、上下機構部２と、リフト部３と、ストッパー部４と、動作部５とで構成されている。
【００１１】
ベース部１は、適宜大きさのベース板１１の中央に支柱１２を立設してなり、先端部分（前方部分）を矩形波形状（櫛板形状）にして、先端板部１３と切欠部１４を形成してなる。特にベース板１１は、床面に安定良く設置できるように、裏面にゴム板等を貼着してなり、先端板部１３は、器具全体を床面に設置した際に床面に接触する位置に設けたものである。更に基端側に、両側を起立せしめ留と共に、基端側の幅が末広がりとした爪先受け部１５を設けてなる。勿論前記爪先受け部１５は、後述する動作部５の足踏み板５２の動作範囲の邪魔にならない部分に立設したものである。
【００１２】
上下機構部２は、支柱１２に遊挿した筒部２１と、筒部２１の下方に筒部２１と一体としたリフトベース部２２とを備え、リフトベース部２２は、上下二枚構造で、対向間隙に後述するリフト部３の上板部３２を嵌合装着すると共に、対向間隙にベアリング球３３を付設してなる。尚ベアリング球２３は、上下のリフトベース部２２に透孔を穿設し、ベアリング球２３を収納した後、ベアリング球２３の抑えとなるバネ板２４でベアリング球２３の離脱を防止している。更にリフトベース部２２の下面には、前後方向に平行に延設した脚板２５を垂設すると共に、脚板２５の後述する動作部５との連結に使用する前後長孔２６を穿設してなる。
【００１３】
リフト部３は、上下機構部２に付設したもので、上下機構部２が最下方に位置した際に、ベース部１の切欠部１４内に位置し、且つ先端板部１３と同一面となる先端板部３１、及び上下機構部２のリフトベース部２２の上下間隙に嵌合装着される上部板３２、及び先端板部３１と上板部３２とを連結する縦板部３３とを一枚板で折曲形成し、上板部３１とリフトベース部２２とは、前記の折曲板が左右方向に横移動可能に連結してなるものである。具体的には、上板部３２に横長孔３４を穿設し、リフトベース部２２の上下板に固着した軸体３５を前記横長孔３４に貫通させたものある。更にリフト部３には復帰付勢部３６を付設したもので、リフトベース部２２の中央下面と、縦板部３３と両端部とを発条で連結し、リフト部３が横移動すると、一方の付勢力が作用して元の位置に復帰するようにしたものである。
【００１４】
ストッパー部４は、上下機構部２の筒部２１の上部に連設したもので、筒部２１と一体とした基板部４１と、支柱貫通孔４２を有する傾斜板４３とを備え、傾斜板４３の先端を基板部４１の先端に引っ掛けたり或は枢結するなどして傾斜板４３の傾動自在とし、且つ基板部４１の後端部分と傾斜板４３との間に発条４４を介装して、傾斜板４３の後部を上方へ押し上げる傾斜付勢をなして、上下機構部２に一方向制動機能を付与したものである。
【００１５】
動作部５は、支柱１２の後方のベース板上に支持部５１を突設し、足踏み板５２を支持部５１にシーソー構造で連結し、足踏み板の対面する側板間の先端部分に、上下長孔２６に貫通させた横軸５３を架設連結してなるものである。
【００１６】
而して前記器具の使用は、壁板またはドア板等の持ち上げ対象の板部材Ａを、取付箇所に運び、ベース部１の先端板部１３と、切欠部１４に位置するリフト部３の先端板部３１を、僅かに持ち上げた板部材Ａの下方に差し込み、足踏み板５２の後方部分を、足で押し下げると、足踏み板５２の先端が持ち上がり、これによって上下作動部２が支柱１２に添って上方へ移動する。上下機構部の上昇に伴ってリフト部３及びストッパー部４も一緒に上昇し、リフト部３の先端板部３１上の板部材Ａも持ち上げられることなる。そしてストッパー部４の傾斜板４３は、その上昇方向は、何ら支障無く上方移動をなすが、下降方向では、支柱貫通孔４２の孔縁が支柱１２の側面と衝突するので、一旦上昇した各部は、ストッパー部４の制止作用で上昇状態が維持されることになる。
【００１７】
次にリフト部３の先端板部３１を含む折曲板が横移動可能であるから、部材Ａを移動させて所定の取付作業を行い、取付作業が終了すると、ストッパー部４の傾斜板４３の後方部分を軽く踏むと、傾斜板４３による下降制止が解除され、上下機構部２とリフト部３とストッパー部４が一緒にその自重で下降する。同時に、部材Ａのリフト部３の先端板部３１への荷重も解除するので、折曲板も復帰付勢部３６の作用でもとの状態に戻り、先端板部３１が切欠部１４の位置に下降収納することになる。
【００１８】
更に前記実施形態においては、特にベース部１に爪先受け部１５を設けたものであるから、前記の取付作業に際して、両手が部材Ａを持っていて塞がっていた場合でも、足の爪先を爪先受け部１５に差し入れて、器具全体の簡単な位置移動を行うことができるものである。
【００１９】
尚本発明は前記実施形態に限定されるものではなく、例えばベース部は、特に櫛板状の先端板部を設けなくとも良いし、上下機構部も単一支柱に対する筒部を採用せずに、支柱をレールとするローラ体を採用して上下動可能に設ける等の他の上下移動可能構造を採用しても良い。更にリフト部も横移動可能に上下機構部に付設すればよいもので、その具体的な構造は任意である。更に動作部も、シーソー構造の足踏み板とせずに、他のジャッキ機構を採用しても良い。
【００２０】
【発明の効果】
以上のように本発明は、ベース板の中央に支柱を立設したベース部の前記支柱に上下動機構部を上下動自在に装着し、上下機構部に対して水平横移動可能に付設したリフト部と上下機構部に下降制動機能を付与したストッパー部とを上下機構部に付設し、上下機構部を上方へ移動動作させる動作部を設けてなるもので、持ち上げ対象の板部材を上方に持ち上げると共に、持ち上げ状態のままでの横移動を可能とし、壁板やドアの取付作業を容易にしたものである。
【図面の簡単な説明】
【図１】本発明の実施形態の全体斜視図（使用前の状態）。
【図２】同図（上方移動の状態）。
【図３】同正面図。
【図４】同平面図（一部切断）。
【図５】同横移動構造の説明断面図。
【符号の説明】
１    ベース部
１１  ベース板
１２  支柱
１３  先端板部
１４  切欠部
１５  爪先受け部
２    上下機構部
２１  筒部
２２  リフトベース部
２３  ベアリング球
２４  バネ板
２５  脚板
２６  前後長孔
３    リフト部
３１  先端板部
３２  上部板
３３  縦板部
３４  横長孔
３５  軸体
３６  復帰付勢部
４    ストッパー部
４１  基板部
４２  支柱貫通孔
４３  傾斜板
４４  発条
５    動作部
５１  支持部
５２  足踏み板
５３  横軸
【図１】
0003831539.tif 000002
【図２】
0003831539.tif 000003
【図３】
0003831539.tif 000004
【図４】
0003831539.tif 000005
【図５】
0003831539.tif 000006